(57)【要約】      （修正有）【課題】積雪が瓦棒から滑り落ち易く、融水通路の形成により融雪水の速やかな排水を図り、氷堤の形成をし難くするとともに、既設の瓦棒金属板葺屋根の改修の簡易化が図れる瓦棒金属板葺構造を提供すること。【解決手段】どぶ板１の両端に立上げ片３を折曲して鋭角隅角部２を形成し、立上げ片３の上端から外方へ折曲して上り勾配の被覆片４を配設し、各被覆片４の上端に垂直片５を立設し、各垂直片５にはそれぞれ内方へ直角に折曲する短尺ハゼ折片５aと、外方へ直角に折曲する長尺ハゼ折片５bとを配設して金属板Ａが形成される。また、両金属板Ａの相互間にハット形の吊子本体１０aを嵌挿し、その頂部に立設した垂直片１０bに直角に張り出したハゼ折片１０cを長尺ハゼ折片５bと短尺ハゼ折片５aとで上下から挟み付け、吊子１０のハゼ折片１０cと短尺ハゼ折片５aとを長尺ハゼ折片５bで巻きハゼ継ぎにハゼ折り接合して瓦棒金属板葺構造Ｂが形成される。【選択図】図２
2008190160.tif 000002
【特許請求の範囲】
【請求項１】
瓦棒金属板葺屋根における金属板において、
所要幅のどぶ板の両端には、それぞれ内方に所要の角度で横向きＶ状の鋭角隅角部を形成して所要高さまで立上げ片が折曲され、両立上げ片の上端からそれぞれ外方へ折曲して所要の上り勾配で所要長さの被覆片が配設され、各被覆片の上端に連続して所要高さの垂直片が立設され、一方の僅かに背丈の低い垂直片には連続して内方へ直角に短尺ハゼ折片を折曲配設し、他方の僅かに背丈の高い垂直片には連続して外方へ直角に長尺ハゼ折片を折曲配設して成る金属板。
【請求項２】
ハット形の吊子本体の頂部に所要高さの垂直片が立設され、該垂直片の上端に左右何れか一方に直角に所要長さのハゼ折片を折曲して成る吊子を、前記請求項１記載の金属板の相互間にハゼ折片の折曲方向を揃えて嵌挿するとともに、該吊子のハゼ折片を一方の金属板の長尺ハゼ折片と、他方の金属板の短尺ハゼ折片とで上下から挟み付け、短尺ハゼ折片と吊子のハゼ折片とを長尺ハゼ折片で巻きハゼ継ぎにハゼ折り接合して屋根面に配設されて成り、金属板の鋭角隅角部に積雪時の融水通路が形成され、両被覆面の上面に中央で分断された雪の滑り面が形成されることを特徴とする瓦棒金属板葺構造。
【請求項３】
既設の瓦棒金属板葺屋根の瓦棒の頂部に所要高さの垂直片が立設され、該垂直片の上端に左右何れか一方に直角に所要長さのハゼ折片を折曲して成る瓦棒を、前記請求項１記載の金属板の相互間にハゼ折片の折曲方向を揃えて嵌挿するとともに、該瓦棒のハゼ折片を一方の金属板の長尺ハゼ折片と、他方の金属板の短尺ハゼ折片とで挟み付け、短尺ハゼ折片と瓦棒のハゼ折片とを長尺ハゼ折片で巻きハゼ継ぎにハゼ折り接合して屋根面に配設されて成り、金属板の鋭角隅角部に積雪時の融水通路が形成され、立上げ片と被覆片の内面と、瓦棒の垂直面間に滞熱空間が形成され、両被覆面の上面に中央で分断された雪の滑り面が形成されることを特徴とする瓦棒金属板葺構造。
【発明の詳細な説明】
【技術分野】
【０００１】
本発明は、瓦棒金属板葺屋根に使用する金属板と、瓦棒金属板葺構造に関する。
【背景技術】
【０００２】
従来の瓦棒金属板葺屋根において各金属板の両端相互の起立接続片(立ち上がり部)と、両者を所要間隔をとってその頂部で接続する水平状のキャップとをハゼ折りで接続した角形の瓦棒構造が、実開昭６３−１７７５２２号公報（特許文献１）、特開平０８−３０２９２４号公報（特許文献２）、特開２０００−３２００８０号公報（特許文献３）に開示され、この種のものが普及している。
しかし、積雪時は瓦棒全体が雪に埋もれ上部両端のハゼ折り接続部からの融水の問題があるので、ハゼ折り接続部における水密性の確保と外観美の向上を図るとして前記特許文献２、３では、頂部の形状を円弧状に形成したカバーなどで角形の瓦棒の頂部を被覆しているが、構造が複雑で多くのコストを要する上、既設の老朽化した瓦棒金属板葺屋根の簡易な改修には対応できないという問題がある。さらに、瓦棒に雪が凍結して瓦棒間の積雪と一体となり瓦棒間の雪の流下を妨げるという問題がある。
【特許文献１】実開昭６３−１７７５２２号公報
【特許文献２】特開平０８−３０２９２４号公報
【特許文献３】特開２０００−３２００８０号公報
【発明の開示】
【発明が解決しようとする課題】
【０００３】
本発明は上記実情に鑑みて、積雪時に雪が瓦棒から離れて滑り落ちるようにしそれによって融水通路を形成させて融雪水の速やかな排水を図り、氷堤の形成をし難くするとともに、既設の老朽化した瓦棒金属板葺屋根の改修の簡易化が図れる金属板と、瓦棒金属板葺構造を提供する。
【課題を解決するための手段】
【０００４】
上記課題を解決する本発明の請求項１に記載した金属板は、瓦棒金属板葺屋根における金属板において、
所要幅のどぶ板の両端には、それぞれ内方に所要の角度で横向きＶ状の鋭角隅角部を形成して所要高さまで立上げ片が折曲され、両立上げ片の上端からそれぞれ外方へ折曲して所要の上り勾配で所要長さの被覆片が配設され、各被覆片の上端に連続して所要高さの垂直片が立設され、一方の僅かに背丈の低い垂直片には連続して内方へ直角に短尺ハゼ折片を折曲配設し、他方の僅かに背丈の高い垂直片には連続して外方へ直角に長尺ハゼ折片を折曲配設して成る。
請求項２に記載した瓦棒金属板葺構造は、ハット形の吊子本体の頂部に所要高さの垂直片が立設され、該垂直片の上端に左右何れか一方に直角に所要長さのハゼ折片を折曲して成る吊子を、前記請求項１記載の金属板の相互間にハゼ折片の折曲方向を揃えて嵌挿するとともに、該吊子のハゼ折片を一方の金属板の長尺ハゼ折片と、他方の金属板の短尺ハゼとで上下から挟み付け、短尺ハゼ折片と吊子のハゼ折片とを長尺ハゼ折片で巻きハゼ継ぎにハゼ折り接合して屋根面に配設されて成り、金属板の鋭角隅角部に積雪時の融水通路が形成され、両被覆面の上面に中央で分断された雪の滑り面が形成されることを特徴とする。
請求項３に記載した瓦棒金属板葺構造は、既設の瓦棒金属板葺屋根の瓦棒の頂部に所要高さの垂直片が立設され、該垂直片の上端に左右何れか一方に直角に所要長さのハゼ折片を折曲して成る瓦棒を、前記請求項１記載の金属板の相互間にハゼ折片の折曲方向を揃えて嵌挿するとともに、該瓦棒のハゼ折片を一方の金属板の長尺ハゼ折片と、他方の金属板の短尺ハゼ折片とで挟み付け、短尺ハゼ折片と瓦棒のハゼ折片とを長尺ハゼ折片で巻きハゼ継ぎにハゼ折り接合して屋根面に配設されて成り、金属板の鋭角隅角部に積雪時の融水通路が形成され、立上げ片と被覆片の内面と、瓦棒の垂直面間に滞熱空間が形成され、両被覆面の上面に中央で分断された雪の滑り面が形成されることを特徴とする。
【発明の効果】
【０００５】
本発明の金属板は、立上げ片と被覆片との折曲点は弾性作用を有するので、屋根葺きでの吊子の嵌挿幅に自由度を有し、瓦棒を形成する瓦棒金属板葺構造では、両金属板の鋭角隅角部が積雪時の融水通路となって融雪水の排水を図り、氷堤を出来難くしてスガ漏れ解消に寄与するほか、既設の瓦棒金属板葺屋根の老朽化に対して簡易に葺き換え対応できる上、瓦棒の側面に滞熱空間を形成できるなどの効果を奏する。
【発明を実施するための最良の形態】
【０００６】
本発明の金属板により瓦棒を形成したときの、吊子が嵌挿される間隔は35mmで、立上げ片の上端までの高さは30mm、被覆片の上端までの高さは40mm、一方の立上げ片と被覆片との折曲点と他方の立上げ片と被覆片との折曲点間は65mm、長尺ハゼ折片を有する側の垂直片の高さは18mm、であるが、既設の瓦棒に被覆する場合には、該瓦棒に対応した加工寸法が選択される。また、各垂直片から直角に張り出す長尺ハゼ折片や短尺ハゼ折片は、相隣れる金属板で瓦棒を形成するときに、短尺ハゼ折片に対して長尺ハゼ折片が被さるように重ねられればよく、ハゼ折りし易い状態であればよいから垂直片に対して張り出すハゼ折片の角度が直角であることは一つの基準であり、それより鋭角は困る（被せることができない）が、鈍角であること（不完全要件）についてはこれを妨げるものではない。
【実施例】
【０００７】
本発明の瓦棒金属板葺屋根Ｒに使用される金属板Ａを実施例により説明すると、図１に示すように、所要幅のどぶ板（みぞ板とも称す）１の両端には、それぞれ内方へ所要の角度で横向きＶ状の鋭角隅角部２を形成し、続いて所要高さまで立上げ片３が折曲され、立上げ片３の上端から連続してそれぞれ外方へ所要の上り勾配で所要長さの被覆片４が折曲され、各被覆片４の上端に連続して所要丈の垂直片５が立設されその一方（右方）の僅かに背の低い垂直片５にはその上端から連続して内方へ直角に短尺ハゼ折片５aを折曲配設し、他方（左方）の僅かに背丈の高い垂直片５にはその上端から連続して外方へ直角に長尺ハゼ折片５bを折曲配設して成る。
【０００８】
このようにして成る金属板Ａは図２に示すように、たるき６に接合された野地板７の上に防水材（フェルトなど）８を介して葺かれ、瓦棒金属板葺屋根Ｒの形成に使用される。その瓦棒金属板葺構造Ｂについて説明すると、一方の金属板Ａの左方と他方の金属板Ａの右方とが、所要位置で野地板７に釘９で固定された吊子１０を挟んで配設されるが、吊子１０はハット形の吊子本体１０aの頂部に所要高さの垂直片１０bが立設され、垂直片１０bの上端に連続して左方へ直角に所要長さのハゼ折片１０cを折曲して成り、ハゼ折片１０cを一方の金属板Ａの長尺ハゼ折片５bと、他方の金属板Ａの短尺ハゼ折片５aとで上下から挟み付け、吊子１０のハゼ折片１０cと短尺ハゼ折片５aとを仮想線と矢印で示すように、長尺ハゼ折片５bで巻きハゼ継ぎにハゼ折り接合して成る。
【０００９】
このようにして成る瓦棒金属板葺構造Ｂが構築される瓦棒金属板葺屋根Ｒによれば、積雪時には図３に示すように、降りしきる雪１２は瓦棒１１の中央のハゼ折り接合部１１aから分割されて両被覆面４の上面から滑り落ち、どぶ板１に積雪する雪１２は瓦棒１１を形成する両金属板Ａの鋭角隅角部２には立上げ片３がオーバーハング状に外方へせり出ているため積もらず、しかも、従来の瓦棒１１bに比して内部空間１３が広いため滞留熱量も多くなる上、外部周辺への放熱面も広くなって融水通路１４が形成され、屋根上での排水が良好となって夜間の融雪水の凍結も減り、軒先での氷堤も出来難くなってスガ漏れ対策が図られる。
【００１０】
次に、図４に示した瓦棒金属板葺構造Ｃの実施例を説明すると、既設の瓦棒金属板葺屋根Ｒaの腐食が進んで老朽化し葺き換え状態にある場合に、除去作業抜きで簡易に新規の瓦棒金属板葺屋根Ｒに改修できるものである。
すなわち、既設の瓦棒金属板葺屋根Ｒaの瓦棒１１bの頂部に垂直片５が立設され、垂直片５の上端から左方へ直角に連続して所要長さのハゼ折片５cを折曲して成る状態で、瓦棒１１bを図１に示すような要領で左右から金属板Ａで挟み、ハゼ折片５cを長尺ハゼ折片５bと短尺ハゼ折片５aとで上下から挟み付け、長尺ハゼ折片５bで瓦棒１１bのハゼ折片５cと短尺ハゼ折片５aとを巻きハゼ継ぎにハゼ折り接合して成る。
このように老朽化した瓦棒金属板葺屋根Ｒaが簡易に葺き換えられる。働きについては瓦棒金属板葺構造Bで説明した働きと同様である。
【産業上の利用可能性】
【００１１】
本発明は、瓦棒金属板葺屋根の積雪を滑落させ易くする上、氷堤に伴うスガ漏れ解消の一助となるほか、既設の老朽化した瓦棒金属板葺屋根を簡易に葺き換えできるなど極めて有益であるから、金属板葺の板金業界の活性化に貢献できる。
【図面の簡単な説明】
【００１２】
【図１】本発明に係わる金属板Ａのどぶ板の中間部を省略した部分斜視図。
【図２】両金属板Ａで瓦棒金属板葺屋根を葺き上げる際の瓦棒の形成状態を示す説明図。
【図３】本発明の瓦棒金属板葺構造Ｂにおける積雪時の説明図。
【図４】既設の瓦棒に被覆された状態の本発明の瓦棒金属板葺構造Ｃの説明図。
【符号の説明】
【００１３】
１：どぶ板
２：鋭角隅角部
３：立上げ片
４：被覆片
５：垂直片
５a：短尺ハゼ折片
５b：長尺ハゼ折片
５c：ハゼ折片
６：たるき
７：野地板
８：防水材
９：釘
１０：吊子
１０a：吊子本体
１０b：垂直片
１０c：ハゼ折片
１１：瓦棒
１１a：ハゼ折り接合部
１１b：従来の瓦棒
１２：雪
１３：内部空間
１４：融水通路
Ｒ：瓦棒金属板葺屋根
Ｒa：既設の瓦棒金属板葺屋根
Ａ：金属板
Ｂ：瓦棒金属板葺構造
Ｃ：瓦棒金属板葺構造
【図１】
2008190160.tif 000003
【図２】
2008190160.tif 000004
【図３】
2008190160.tif 000005
【図４】
2008190160.tif 000006